(57)【要約】【課題】従来、所望の音声または音楽情報を得ようとした場合、キーボードに向かい必要事項を入力する必要があった。これは一般に利用者にとっては煩雑な操作を必要とし、しかも、必要な基本データを利用者が記憶していなければならなかった。更にキーボードの様に嵩張るものを携行しなければならないとゆう問題があった。このため、検索用データを一々入力することなく必要情報が得られる装置の実現が課題となっていた。【解決手段】本発明においては、利用者に関する属性情報および必要に応じ供給するその他関連情報をＲＦＩＤ素子または非接触ＩＣカードに記憶させておき、利用者が携行する受信装置の一部分を送信装置に接近させることによりこれら属性情報等を読み取り、これに対応した音声情報を送信側から送信する方式としている。【選択図】図１
2004177421.tif 000002
【特許請求の範囲】
【請求項１】
人体に装着される受信装置と人体に装着することなく使用される送信装置とで構成される音声情報送受信装置であって、
前記受信装置は、前記受信装置の利用者に関する属性情報および必要に応じ供給するその他の関連情報を記憶し、かつ前記送信装置へ送信する機能を有する第１の記憶手段と、前記送信装置から送信された信号を受信する受信手段と、前記受信手段により受信した信号を復調し元の音声または音楽信号に再生し送出する再生手段とを有し、
前記送信装置は、前記受信装置の第１の記憶手段からの情報を読み取る読取手段と、前記利用者に供給する複数の音声情報を記憶する音声または音楽情報を記憶する第２の記憶手段と、前記読取手段から得られた上記属性情報および必要に応じ供給されるその他の関連情報により前記複数の音声情報から必要とする音声または音楽情報を選択する選択手段と、選択された前記必要とする音声または音楽情報を送信する送信手段とを有することを特徴とする音声情報送受信装置。
【請求項２】
請求項１記載の音声情報送受信装置において、
前記送信装置は、前記送信手段として前記必要とする音声または音楽情報のアナログ信号をノイズシェーピング方式で１ビットのデジタル信号に変換する１ビット化手段と、前記１ビット化されたデジタル信号を送信する１ビット信号送信手段とを有し、
前記受信装置は、前記受信手段として前記１ビットのデジタル信号を受信する１ビット信号受信手段と、前記再生手段として前記受信した１ビットデジタル信号を元のアナログ信号に再生する１ビット信号再生手段とを有することを特徴とする請求項１記載の音声情報送受信装置。
【請求項３】
請求項２記載の音声情報送受信装置において、
前記送信装置の１ビット信号送信手段が、デジタル信号により変調をかけた光を送信する光送信手段であり、
前記受信装置の１ビット信号受信手段は、前記送信された光を受信する光受信手段であることを特徴とする音声情報送受信装置。
【請求項４】
請求項２記載の音声情報送受信装置において、
前記送信装置の１ビット信号送信手段が、デジタル信号により変調をかけた電波を送信する電波送信手段であり、
前記受信装置の１ビット信号受信手段が、前記送信された電波を受信する電波受信手段であることを特徴とする音声情報送受信装置。
【請求項５】
請求項２記載の音声情報送受信装置において、
前記送信装置の１ビット信号送信手段が、デジタル信号により変調をかけた超音波を送信する超音波送信手段であり、
前記受信装置の１ビット信号受信手段が、前記送信された超音波を受信する超音波受信手段であることを特徴とする音声情報送受信装置。
【請求項６】
請求項３記載の音声情報送受信装置において、
前記光送信手段が赤外線送信手段であり、
前記光受信手段が赤外線受信手段であることを特徴とする音声情報送受信装置。
【請求項７】
前記受信装置が、前記受信手段と、前記再生手段と、前記第１の記憶手段とを一体化した指輪型であることを特徴とする請求項１乃至６の何れか１項に記載の音声情報送受信装置。
【請求項８】
前記受信装置が、前記再生手段としてスピーカと前記スピーカの駆動回路とを有し、かつ前記受信手段と、前記第１の記憶手段と、前記スピーカの駆動回路とを一体化したイヤリング型で、前記スピーカを導線により前記スピーカの駆動回路に結合した構成であることを特徴とする請求項１乃至請求項６の何れか１項に記載の音声情報送受信装置。
【請求項９】
前記受信装置が、前記受信手段と、前記再生手段とをイヤリング型に一体化した部分と、前記第１の記憶手段を指輪型とした部分とに分離構成したことを特徴とする請求項１乃至請求項６の何れか１項に記載の音声情報送受信装置。
【請求項１０】
請求項１に記載の音声情報送受信装置において、
前記受信装置は、前記第１の記憶手段としてＲＦＩＤ素子を有し、
前記送信装置は、前記読取手段として前記ＲＦＩＤ素子の読取手段を有することを特徴とする請求項１乃至請求項９の何れか１項に記載の音声情報送受信装置
。
【請求項１１】
請求項１に記載の音声情報送受信装置において、
前記受信装置は、前記第１の記憶手段として非接触ＩＣカードを有し、
前記送信装置は、前記読取手段として前記非接触ＩＣカードの読取手段を有することを特徴とする請求項１乃至請求項６の何れか１項に記載の音声情報送受信装置。
【発明の詳細な説明】
【０００１】
【発明の属する技術分野】
本発明は、非接触の状態でユーザーの属性や状況を認識し、これによりユーザーに特化した音声または音楽等の情報を送受信することが可能な音声情報送受信装置に関する。
【従来の技術】
【特許文献１】特開平８−６９６８９「案内装置」
【特許文献２】特開２００１−５１５９２「形態型音声ガイド装置」
【特許文献３】実開平６−６８１００「音声案内装置」
【特許文献４】特開２００１−２４５００４「データ送信装置およびデータ受信装置」
【特許文献５】特許第３１８５９６３号「スピーカ駆動回路」
従来のこの種装置として特許文献１乃至３に記載の展示物の音声案内装置が知られている。これらは基本的には、図１７に示すようにキーボード３０２とＩＣレコーダ３０１とヘッドホン３０３からなる手動案内装置の形態をしており、この装置を携帯している利用者が必要とする情報に対応した番号をキーボード３０２から入力することにより、ＩＣレコーダ３０１に記憶されている音声情報の中から目的の内容を選択し、ヘッドホン３０３を介してそれを聞くというものであった。さらに、この装置を小型化する為に特許文献４に記載されているノイズシェーピング方式によりアナログ信号を１ビットのデジタル信号に変換して送受信する方法が知られている。また特許文献５においてはスピーカ駆動回路の簡素化を目的としてインバータ回路出力でスピーカを駆動する方法が開示されている。
【０００２】
【発明が解決しようとする課題】
上記のように従来は所望の音声情報を得ようとした時にキーボード入力等煩雑な操作が必要であるという欠点があった。さらに嵩張る装置を持ち運ばなくてはならないという欠点もあった。本発明は、キーボード入力等の動作なしに所望の音声情報を得られるようにするものである。さらに装置を小型化して、身体に違和感なく常時装着可能とするとともに、自然な動作で音声情報を得られるようにするものを実現することを目的としている。
【０００３】
【課題を解決するための手段】
上記の目的を達成するために、本発明の請求項１においては人体に装着される受信装置と人体に装着することなく使用される送信装置とで構成される音声情報送受信装置であって、前記受信装置は、前記受信装置の利用者に関する属性情報および必要に応じ供給するその他の関連情報を記憶し、かつ前記記憶している内容を前記送信装置へ送信する機能を有する第１の記憶手段と、前記送信装置から送信された信号を受信する受信手段と、前記受信手段により受信した信号を復調し元の音声または音楽信号に再生し送出する再生手段とを有し、前記送信装置は、前記受信装置の第１の記憶手段からの情報を読み取る読取手段と、前記利用者に供給する複数の音声情報を記憶する音声または音楽情報を記憶する第２の記憶手段と、前記読取手段から得られた上記属性情報および必要に応じ供給されるその他の関連情報により前記複数の音声情報から必要とする音声または音楽情報を選択する選択手段と、選択された前記必要とする音声または音楽情報を送信する送信手段とを有する音声情報送受信装置について規定している。
【０００４】
請求項２においては、請求項１記載の音声情報送受信装置において、前記送信装置は、前記送信手段として前記必要とする音声または音楽情報のアナログ信号をノイズシェーピング方式で１ビットのデジタル信号に変換する１ビット化手段と、前記１ビット化されたデジタル信号を送信する１ビット信号送信手段とを有し、前記受信装置は、前記受信手段として前記１ビットのデジタル信号を受信する１ビット信号受信手段と、前記再生手段として前記受信した１ビットデジタル信号を元のアナログ信号に再生する１ビット信号再生手段とを有する請求項１記載の音声情報送受信装置について規定している。
請求項３においては、請求項２記載の音声情報送受信装置において、前記送信装置の１ビット信号送信手段が、デジタル信号により変調をかけた光を送信する光送信手段であり、前記受信装置の１ビット信号受信手段は、前記送信された光を受信する光受信手段である音声情報送受信装置について規定している。
請求項４においては、請求項２記載の音声情報送受信装置において、前記送信装置の１ビット信号送信手段が、デジタル信号により変調をかけた電波を送信する電波送信手段であり、前記受信装置の１ビット信号受信手段が、前記送信された電波を受信する電波受信手段である音声情報送受信装置について規定している。
【０００５】
請求項５においては、請求項２記載の音声情報送受信装置において、前記送信装置の１ビット信号送信手段が、デジタル信号により変調をかけた超音波を送信する超音波送信手段であり、前記受信装置の１ビット信号受信手段が、前記送信された超音波を受信する超音波受信手段である音声情報送受信装置について規定している。
請求項６においては、請求項３記載の音声情報送受信装置において、前記光送信手段が赤外線送信手段であり、前記光受信手段が赤外線受信手段である音声情報送受信装置について規定している。
請求項７においては、前記受信装置が、前記受信手段と、前記再生手段と、前記第１の記憶手段とを一体化した指輪型とした請求項１乃至６の何れか１項に記載の音声情報送受信装置について規定している。
請求項８においては、前記受信装置が、前記再生手段としてスピーカと、前記スピーカの駆動回路とを有し、かつ前記受信手段と、前記第１の記憶手段と、前記スピーカの駆動回路とを一体化したイヤリング型で、前記スピーカを導線により前記スピーカの駆動回路に結合した構成である請求項１乃至請求項６の何れか１項に記載の音声情報送受信装置について規定している。
【０００６】
請求項９においては、前記受信装置が、前記受信手段と、前記再生手段とをイヤリング型に一体化した部分と、前記第１の記憶手段を指輪型とした部分とに分離構成した請求項１乃至請求項６の何れか１項に記載の音声情報送受信装置について規定している。
請求項１０においては、請求項１に記載の音声情報送受信装置において、前記受信装置は、前記第１の記憶手段としてＲＦＩＤ素子を有し、前記送信装置は、前記読取手段として前記ＲＦＩＤ素子の読取手段を有する請求項１乃至請求項９の何れか１項に記載の音声情報送受信装置について規定している。
請求項１１においては、請求項１に記載の音声情報送受信装置において、前記受信装置は、前記第１の記憶手段として非接触ＩＣカードを有し、前記送信装置は、前記読取手段として前記非接触ＩＣカードの読取手段を有する請求項１乃至請求項６の何れか１項に記載の音声情報送受信装置について規定している。
【０００７】
【発明の実施の形態】
図１は第１の実施の形態を示すものであり、属性情報を記憶する記憶手段としてＲＦＩＤ（Ｒａｄｉｏ  Ｆｒｅｑｕｅｎｃｙ  Ｉｄｅｎｔｉｆｉｃａｔｉｏｎ／無線周波識別）素子を用いている。このＲＦＩＤ素子はメモリを含むＩＣと、アンテナとから構成されている素子である。ＲＦＩＤ素子はメモリにＩＤ情報（識別情報）等を記憶しておき、読取器２３０に接近すると読取器２３０からの電波をエネルギーとしてメモリ内のＩＤ情報を発信する機能を有する記憶手段として用いられる。またこのメモリとしては不揮発性のものが使用され、ＥＥＰＲＯＭが多く使用されている。また、読取器（ＲＦＩＤ読取器）２３０は、ＲＦモジュール、アンテナ、制御部等から構成されており、読取電波を発信し、この電波の読取範囲内にあるＲＦＩＤ素子がそれに応じて発信する電波を読取器で受信し、ＲＦＩＤ素子内に記憶されているＩＤ情報を得るものである。
【０００８】
以下、展示物の音声ガイダンスを例として説明する。受信装置１１は展示物の見学者である利用者が保持し、送信装置１２は図示していないが展示物側に設置される。利用者が展示物に近づくと、受信装置１１のＲＦＩＤ素子１３０に記憶されている利用者に関する属性情報が送信装置１２に内蔵の読取手段２３０により読み取られ、読み取られた属性情報に応じて、複数用意されている音声情報２６０（図１における音声１〜音声ｎ）のうちから１つもしくは複数が選択手段２２０により選択され、送信手段２１０によって音声信号が出力され送信される。この送信された音声信号は受信装置１１に内蔵の受信手段１１０で受信され、再生手段１２０によって音声または音楽信号として出力される。ここでＲＦＩＤ素子１３０に記憶される属性情報として、例えば利用者が通常使用する言語（日本語、英語等）を記憶させておけば、特別な操作をすることなく、複数の言語が用意されている音声案内２６０のうち、ＲＦＩＤ素子１３０に属性情報として記憶されている言語で音声案内を聞くことが可能となる。
【０００９】
以上、展示の音声案内を例として説明したが、本発明の用途はそれに限られるものではなく、ＲＦＩＤ素子１３０に記憶された属性情報により、複数ある音声情報２６０（図１における音声１〜音声ｎ）のうちの１つもしくは複数が選択されて音声または音楽信号として出力することが出来ればよい。例えば小売店での音声による商品案内を、音声情報送受信装置の利用者である顧客が保持する受信装置１１に内蔵のＲＦＩＤ素子１３０に記憶された性別、年代や過去の購買実績等の情報に基づき、当該顧客の興味ある分野の商品に限って商品案内を行う等のサービスヘの適用も考えられる。またクレジットカード、各種ポイントカードの有無等の属性情報を読取り、特定の顧客向けに特別割引情報を音声情報として提供することも可能である。
なお、こうした複数の音声情報２６０は、図１および図２では送信装置１２内に示しているが、ネットワークを介して送信装置１２に接続された他の記憶装置に格納しておくことも出来る。
【００１０】
図２は本発明における第２の実施の形態であり、第１の実施の形態をより具体化したものである。これはノイズシェーピング方式を適用したもので、送信装置２２は音声または音楽等のアナログ信号をノイズシェーピング方式で１ビットのデジタル信号に変換する１ｂｉｔ化手段２５０と、この１ビット化されたデジタル信号により何らかの変調をかけた電磁波等を空中に放出する１ｂｉｔ信号送信手段２４０とを有し、受信装置２１は空中に放出された電磁波等を受信し復調し元の１ビットのデジタル信号を得る１ｂｉｔ信号受信手段１４０と、１ビットのデジタル信号を音声または音楽信号として再生する１ｂｉｔ信号再生手段１５０とを有している。このような構成とすることにより高音質の音声情報送受信装置を、常時装着しても違和感のない極めて小型なサイズで実現することができる。
第１の実施の形態と同様、展示物の音声ガイダンスを例として図２より説明すると、受信装置２１は利用者が保持し、送信装置２２は展示物側に設置される。利用者が展示物に近づき受信装置２１に内蔵のＲＦＩＤ素子１３０に記録されている属性情報等が送信装置２２に内蔵の読取手段２３０により読取られると、読取られた属性情報により、複数用意されている音声情報２６０（図２における音声１〜音声ｎ）の内から１つもしくは複数が選択手段２２０により選択され、選択された音声が１ｂｉｔ化手段２５０により１ビットのデジタル信号に変換され、１ｂｉｔ信号送信手段２４０によって音声信号が出力される。この音声信号は受信装置２１の１ｂｉｔ信号受信手段１４０で受信および復調されて元の１ビットデジタル信号となり、１ｂｉｔ信号再生手段１５０によって音声または音楽信号として出力される。
【００１１】
図３は本発明における第３の実施の形態であり、受信装置３１と送信装置３２の間の通信を光により行うようにしたものである。送信装置３２は音声または音楽等のアナログ信号をノイズシェーピング方式で１ビットのデジタル信号に変換する１ｂｉｔ化手段２５０と、この１ビットのデジタル信号により何らかの変調をかけた光を空中に放出する光送信手段２４１とを有し、受信装置３１は空中に放出された光を受信し復調し元の１ビットのデジタル信号を得る光受信手段１４１と、１ビットのデジタル信号を音声または音楽信号として再生する１ｂｉｔ信号再生手段１５０とを有している。読取られたＲＦＩＤ素子１３０からの属性情報に基づき選択手段２２０により選択された音声情報２６０（図３における音声１〜音声ｎ）は、１ｂｉｔ化手段２５０により１ビットのデジタル信号に変換され、光送信手段２４１によって変調された光が出力される。この光は受信装置３１の光受信手段１４１で受信および復調されて元の１ビットデジタル信号となり、１ｂｉｔ信号再生手段１５０によって音声または音楽信号として出力される。
【００１２】
図４は第４の実施の形態であり、受信装置４１と送信装置４２の間の通信を電波により行うようにしたものである。すなわち、前記各実施の形態と同様に、受信装置４１に内蔵のＲＦＩＤ素子１３０に記録されている利用者に関する属性情報等を送信側に内蔵の読み取り手段２３０で読み取り、その結果を用いて選択手段２２０により音声情報２６０（図４における音声１〜音声ｎ）から必要とする音声情報を選択する。これにより選択された信号を１ｂｉｔ化手段２５０により１ビット化した後、電波送信手段２４２により変調をかけられた電波として送出される。この電波は受信装置４１内蔵の電波受信手段１４２により受信され、１ｂｉｔ信号再生手段１５０により音声または音楽信号として出力される。
図５は第５の実施の形態であり、受信装置５１と送信装置５２とにおける信号処理は上記各実施の形態と同様であるが、本実施の形態においては受信装置５１と送信装置５２との間の通信を超音波により行うようにしたものである。
図６は第６の実施の形態であり、受信装置６１と送信装置６２の間の通信を赤外線により行うようにしたもので、信号処理に関しては前記各実施の形態と同様であり、いずれも図３の構成と同様の動作をする。すなわち、送信装置６２の出力段には赤外線送信手段２４４を内蔵しており、受信装置６１には赤外線受信手段１４４が内蔵されている。
【００１３】
図７は第７の実施の形態であり、受信装置７１の属性情報を記憶する記憶手段として上記のＲＦＩＤ素子の代りに非接触ＩＣカード１３１を用いる構成とし、装着している顧客の購買履歴等の豊富な情報に基づいて、効果的な販売促進につながるメッセージとなる音声情報２６０の中から所要のものを提供することができる。したがって、送信装置７２はＩＣカード読取手段２３１を内蔵している。信号処理の動作は上記各実施の形態に記載したものと同様である。
図８は第８の実施の形態であり、図７の構成において非接触ＩＣカード１３１への情報の供給をセンサー１３２により行うものである。気温、体温、血流等の情報をセンサー１３２から得て非接触ＩＣカード１３１に記憶させることにより、装着している顧客または利用者に対して適切な音声メッセージを音声情報２６０の中から選択し提供することができる。また、センサー１３２は受信装置７１に含まれる構成としてもよい。
図９は第９の実施の形態であり、図２に示した受信装置を指輪型としたものである。図９（ａ）は受信装置（指輪型）８１の構成図であり、図９（ｂ）は受信装置８１を、指輪を構成するリング状の部分に取り付けた場合の外観図を示す。図９（ａ）は図２における１ｂｉｔ信号再生手段１５０の構成例を示すもので、音声または音楽信号を出力するための１ｂｉｔ信号再生手段として、インバータ回路でスピーカを駆動する方法を適用している。これにより、１ｂｉｔ信号受信手段１４０の出力パルス列を入力とし、インバータ回路で構成された駆動回路１６０でスピーカ１７０を直接駆動することが可能であり、回路の小型化および低消費電力化が実現でき、指輪型とすることも実現できる様になる。図９（ｂ）に示すように１ｂｉｔ信号受信手段１４０、ＲＦＩＤ素子１３０およびスピーカ駆動回路１６０を指輪の手の甲側に、またスピーカ１７０を指輪の掌側に設けることにより、手の甲を送信部に向けつつ手を耳に当てることにより自然な姿勢で音声または音楽を聞くことができる。またＲＦＩＤ素子１３０も指輪に設けられているため、指輪を装着している手を、送信装置と一体になっているＲＦＩＤ読取手段にかざした後に耳に当てるという自然な動作により、ＲＦＩＤ素子１３０の属性情報によって選択された音声または音楽を聞くことが可能である。なお、スピーカ駆動回路は図１０に示すようにインバータ１６１出力で直接スピーカ１７０を駆動する構成であるが、図１１に示すようにインバータ１６１とスピーカの間にフィルタ１６２を挿入する構成とすることも出来る。
【００１４】
図１２は第１０の実施の形態を示す構成図で、図１２（ａ）は図９（ａ）と同様の受信装置（指輪型）８２の構成を示し、図１２（ｂ）は指輪のリング状の部分に音導管を設けた構造としている。図１２（ｂ）において、スピーカ１７０は手の甲側に設け、音導管１７１を通して掌側に設けた放音孔１７２より音声または音楽信号を出力するものである。
図１３は第１１の実施の形態を示す構成図で、図１３（ａ）は図１２（ａ）の場合と同様に、受信装置（指輪型）８３の構成を示しているが、ここでＲＦＩＤ素子１３０を図１３（ｂ）に示すように指輪のリング上でスピーカ１７０の近辺、すなわち掌側に設けている。図１〜図８の各構成図における各送信装置に内蔵されているＲＦＩＤ情報の読取装置２３０および２３１に掌をかざすという動作を考えた場合、ＲＦＩＤの読取可能距離を短く設定したい場合には、この構成が有効である。
図１４は第１２の実施の形態を示す構成図で、本実施の形態においては図１４（ａ）に示すように、スピーカの代わりに振動発生用のアクチュエータ１７３を使用している。図１４（ｂ）はこの場合の外観図を示すもので、アクチュエータを指輪上の手の甲側に取り付け、これにより生じた振動を指輪のリング部分を介して伝播させリング部分の掌側に設けた振動板１７４を振動させて音声または音楽信号を出力する構成としている。
【００１５】
図１５は第１３の実施の形態を示す構成図で、図２における受信装置２１の部分をイヤリング型とした場合を示すものである。図１５（ａ）はイヤリングに搭載する受信装置８５の回路構成を示すものであり、図１５（ｂ）は回路を実装したイヤリングの外観図を示す。図１５（ｂ）において、受信装置８５を搭載した基板そのものを図示しないが、耳介に固定する手段を備えたイヤリング台とし、そのイヤリング台すなわち受信装置８５には１ｂｉｔ信号受信手段１４０、図１０または図１１に示したインバータ回路で構成されるスピーカ駆動回路１６０、ＲＦＩＤ素子１３０を搭載する。さらに外耳道に挿入可能なスピーカ１７０をフレキシブルな導線１８０によりスピーカ駆動回路１６０と接続する。この構成ではＲＦＩＤ素子１３０を搭載したイヤリングを装着した耳をＲＦＩＤ読取手段（例えば図１〜図６の読取手段２３０）に近づけることにより、外耳道に挿入されたスピーカ１７０から音声または音楽信号を聞くことが可能となる。
図１６は第１４の実施の形態であり、図１５（ａ）における受信装置８５に内蔵のＲＦＩＤ素子１３０のみを指輪型として分離した構造としたものである。図１６（ａ）は本実施の形態の構成を示すもので、１ｂｉｔ信号受信手段１４０と、スピーカ１７０および図１０または図１１に示したようなインバータ回路で構成されるスピーカ駆動回路１６０をイヤリング台上に構成した部分を受信装置Ａ（イヤリング型）８６とし、ＲＦＩＤ素子１３０の部分を受信装置Ｂ（指輪型）８７として指輪に構成する構造としている。ここで、受信装置Ａ（イヤリング型）８６には図示していないが耳介に固定するための手段が設けられている。イヤリング台には１ｂｉｔ信号受信手段１４０、図１０または図１１に示したようなインバータ回路で構成されるスピーカ駆動回路１６０を搭載する。さらに外耳道に挿入可能なスピーカ１７０をフレキシブルな導線１８０によりスピーカ駆動回路１６０と接続することは図１５（ｂ）の場合と同様である。またＲＦＩＤ素子１３０はこれらとは別に指輪に装着する。
この構成では手をＲＦＩＤ読取手段に近づけることにより、外耳道に挿入されたスピーカ１７０から音声または音楽を聞くことが可能となる。本実施の形態によればＲＦＩＤ素子１３０と読取手段２３０または２３１との距離を接近させることが出来るため、属性情報等を読み出す際の所要電力を小さくすることが出来、これにより読取手段からＲＦＩＤ素子１３０に供給するエネルギも少なくて済む利点がある。
【００１６】
【発明の効果】
本発明によれば、属性情報を記憶するＲＦＩＤ素子やＩＣカードを搭載することにより、従来は必要であった情報選択のための操作が不要となり、必要な音声情報を容易に得ることが可能となる。また受信装置の回路規模を小さくして受信装置を小型化することができ、指輪型もしくはイヤリング型とすることにより、ユーザーに違和感なく常時装着でき、自然な動作、姿勢で音声情報が得られるという利点がある。さらに情報を提供する側としても、ユーザーの嗜好、興味に合致した音声情報を提供することができ、販売促進につなげることが出来るという利点がある。
【図面の簡単な説明】
【図１】本発明による第１の実施の形態を示すブロック図。
【図２】本発明による第２の実施の形態を示すブロック図。
【図３】本発明による第３の実施の形態を示すブロック図。
【図４】本発明による第４の実施の形態を示すブロック図。
【図５】本発明による第５の実施の形態を示すブロック図。
【図６】本発明による第６の実施の形態を示すブロック図。
【図７】本発明による第７の実施の形態を示すブロック図。
【図８】本発明による第８の実施の形態を示すブロック図。
【図９】本発明による第９の実施の形態を示すブロック図。
【図１０】スピーカ駆動回路のブロック図。
【図１１】フィルタを含むスピーカ駆動回路のブロック図。
【図１２】本発明による第１０の実施の形態を示すブロック図。
【図１３】本発明による第１１の実施の形態を示すブロック図。
【図１４】本発明による第１２の実施の形態を示すブロック図。
【図１５】本発明による第１３の実施の形態を示すブロック図。
【図１６】本発明による第１４の実施の形態を示すブロック図。
【図１７】従来の音声案内装置の一例を示す構成図。
【符号の説明】
１１、２１、３１、４１、５１、６１、７１：受信装置
８１、８２、８３、８４：受信装置（指輪型）
８５、受信装置（イヤリング型）
８６：受信装置Ａ（イヤリング型）  ８７：受信装置Ｂ（指輪型）
１２、２２、３２、４２、５２、６２、７２：送信装置
１１０：受信手段                １２０：再生手段
１３０：ＲＦＩＤ素子            １３１：非接触ＩＣカード
１３２：センサー                １４０：１ｂｉｔ信号受信手段
１４１：光受信手段              １４２：電波受信手段
１４３：超音波受信手段          １４４：赤外線受信手段
１５０：１ｂｉｔ信号再生手段    １６０：駆動回路
１６１：インバータ              １６２：フィルタ
１７０：スピーカ                １７１：音導管
１７２：放音孔                  １７３：アクチュエータ
１７４：振動板                  １８０：フレキシブルな導線
２１０：送信手段                ２２０：選択手段
２３０、２３１：読取手段        ２４０：１ｂｉｔ信号送信手段
２４１：光信号送信手段          ２４２：電波送信手段
２４３：超音波送信手段          ２４４：赤外線送信手段
２５０：１ｂｉｔ化手段          ２６０：音声情報群
３０１：ＩＣレコーダ            ３０２：キーボード
３０３：ヘッドホン
【図１】
2004177421.tif 000003
【図２】
2004177421.tif 000004
【図３】
2004177421.tif 000005
【図４】
2004177421.tif 000006
【図５】
2004177421.tif 000007
【図６】
2004177421.tif 000008
【図７】
2004177421.tif 000009
【図８】
2004177421.tif 000010
【図９】
2004177421.tif 000011
【図１０】
2004177421.tif 000012
【図１１】
2004177421.tif 000013
【図１２】
2004177421.tif 000014
【図１３】
2004177421.tif 000015
【図１４】
2004177421.tif 000016
【図１５】
2004177421.tif 000017
【図１６】
2004177421.tif 000018
【図１７】
2004177421.tif 000019